Podtech/llm-jp-corpus-v4-ja_patent huggingface dataset:
【手続補正書】
【提出日】令和3年11月4日(2021.11.4)
【手続補正１】
【補正対象書類名】特許請求の範囲
【補正対象項目名】請求項１７
【補正方法】変更
【補正の内容】
【請求項１７】
前記コネクタは、遠位部分と近位部分とを有し、
前記遠位部分は、第１の脚部と第２の脚部とに長手方向に分割され、
前記第１および第２の脚部が近位部分に柔軟に接続され、
前記第１の脚部には、前記第１のベースコンポーネントの近位部分に接続された遠位端が設けられ、
前記第２の脚部には、それぞれ、前記第２のベースコンポーネントの近位部分に接続された遠位端設けられている、請求項１６に記載の内視鏡デバイス。
【手続補正２】
【補正対象書類名】特許請求の範囲
【補正対象項目名】請求項１８
【補正方法】変更
【補正の内容】
【請求項１８】
前記第１および第２の脚部は、閉鎖位置と開放位置との間で移動可能であり、
前記第１および第２の脚部の前記閉鎖位置への移動によって、前記第１のベースコンポーネントの前記第１のベースコネクタと、前記第２のベースコンポーネントの前記第２のベースコネクタと、が、前記第１および第２のベースコンポーネントが中空内部を有する円筒シャフトを形成するように接続される、請求項１７に記載の内視鏡デバイス。
【手続補正書】
【提出日】令和3年11月4日(2021.11.4)
【手続補正１】
【補正対象書類名】特許請求の範囲
【補正対象項目名】請求項１１
【補正方法】変更
【補正の内容】
【請求項１１】
前記ハウジングは、２つの前記整列スロットを含む、請求項９に記載の内視鏡デバイス。
【手続補正２】
【補正対象書類名】特許請求の範囲
【補正対象項目名】請求項１７
【補正方法】変更
【補正の内容】
【請求項１７】
前記第１及び第２の顎部は、一体に作られ、支点を介して接続される、請求項１に記載の内視鏡デバイス。
【手続補正３】
【補正対象書類名】特許請求の範囲
【補正対象項目名】請求項１８
【補正方法】変更
【補正の内容】
【請求項１８】
前記第１の顎部は、前記第２の顎部よりも長い、請求項１に記載の内視鏡デバイス。
【手続補正書】
【提出日】令和3年10月29日(2021.10.29)
【手続補正１】
【補正対象書類名】明細書
【補正対象項目名】００２４
【補正方法】変更
【補正の内容】
【００２４】
ハウジング１２１は、プランジャストッパ１０５内に形成されたキャビティに嵌合するように構成された密閉可能な構造とすることができる。ハウジング１２１は、プランジャストッパ１０５内への電子モジュール１０７のすべての構成要素の同時の挿入を可能にすることができる。ハウジング１２１は、ＣＯＣまたはＣＯＰなどの医療グレードの可塑性材料を含む剛性材料から形成することができる。いくつかの実施態様では、ハウジング１２１の厚さとプランジャストッパ１０５のハウジングの底部１２５の厚さは、実質的に超音波プローブ１２２の近距離場の長さ以上となるように選択することができる。たとえば、ハウジング１２１の厚さとプランジャストッパ１０５のハウジングの底部１２５の厚さを合わせて、約１ｍｍ超とすることができる。
【手続補正２】
【補正対象書類名】明細書
【補正対象項目名】００２８
【補正方法】変更
【補正の内容】
【００２８】
外部デバイス１０４は、通信フィールド１３０を介して注射デバイス１０２と通信することができ、ネットワーク１０６を介してサーバデバイス１０８のうちの１つまたはそれ以上と通信することができる。いくつかの実施態様では、外部デバイス１０４は、任意の適切なタイプの計算デバイス、たとえばデスクトップコンピュータ、ラップトップコンピュータ、手持ち式コンピュータ、タブレットコンピュータ、パーソナルデジタルアシスタント（ＰＤＡ）、セルラー電話、ネットワーク機器、カメラ、スマートフォン、拡張型汎用パケット無線サービス（ＥＧＰＲＳ）携帯電話、メディアプレーヤ、ナビゲーションデバイス、電子メールデバイス、ゲームコンソールもしくはこれらのデバイスのうちの任意の２つ以上の適切な組み合わせ、または他のデータ処理デバイスを含むことができる。
外部デバイス１０４は、トランシーバ１３２と、プロセッサ１３４と、ディスプレイ１３６とを含むことができる。トランシーバ１３２は、注射デバイス１０２を起動および／または注射デバイス１０２に電力供給するように信号を送信し、注射デバイス１０２からの信号を受信するように構成することができる。トランシーバ１３２は、予め設定された時間間隔の間、予め設定された周波数で自発的に信号を注射デバイス１０２に送信するように構成することができる。プロセッサ１３４は、注射デバイス１０２によって送信されるデータを処理するように構成することができる。外部デバイス１０４は、外部デバイス１０４と注射デバイス１０２との間における通信を開始する（たとえば、処置を開始し薬剤用量を選択するようにトリガ信号を生成する）ように、使用者がディスプレイ１３６と（たとえばグラフィカルユーザインターフェースを介して）相互に作用することを可能にするように構成することができる。ディスプレイ１３６は、注射デバイス１０２から受信されてプロセッサ１３５によって処理されたデータを表示するように構成することができる。
【手続補正書】
【提出日】令和3年11月5日(2021.11.5)
【手続補正１】
【補正対象書類名】特許請求の範囲
【補正対象項目名】全文
【補正方法】変更
【補正の内容】
【特許請求の範囲】
【請求項１】
超音波デバイスであって、
信号を超音波トランスデューサに提供するように構成されたパルサと、音響信号を受信することに応答して前記超音波トランスデューサにより生成された信号を処理するように構成された集積アナログ処理受信回路と、前記集積アナログ処理受信回路により提供される信号をデジタル化するように構成されたアナログデジタル変換器（ＡＤＣ）と、シリアルデジタライズド（ＳＥＲＤＥＳ）送信回路とを備える第１の特定用途向け集積回路（ＡＳＩＣ）であって、前記第１のＡＳＩＣは、前記ＡＤＣと前記ＳＥＲＤＥＳとの間の集積デジタル処理回路を電気的に欠いている、第１の特定用途向け集積回路（ＡＳＩＣ）と、
ＳＥＲＤＥＳ受信回路と、前記ＳＥＲＤＥＳ受信回路により提供される信号をデジタル処理するように構成されている集積デジタル処理回路とを備える第２のＡＳＩＣと、
前記第１のＡＳＩＣの前記ＳＥＲＤＥＳ送信回路と前記第２のＡＳＩＣの前記ＳＥＲＤＥＳ受信回路とを結合するＳＥＲＤＥＳ通信リンクと、
を備える超音波デバイス。
【請求項２】
請求項１に記載の超音波デバイスであって、前記ＳＥＲＤＥＳ通信リンクは、シリコン貫通ビア（ＴＳＶ）を備える、超音波デバイス。
【請求項３】
請求項１に記載の超音波デバイスであって、前記第１のＡＳＩＣは、第１のテクノロジーノードで実装され、前記第２のＡＳＩＣは、第２のテクノロジーノードで実装され、前記第１のテクノロジーノードは、前記第２のテクノロジーノードとは異なる、超音波デバイス。
【請求項４】
請求項３に記載の超音波デバイスであって、前記第２のテクノロジーノードは、前記第１のテクノロジーノードよりも小さなテクノロジーノードである、超音波デバイス。
【請求項５】
請求項３に記載の超音波デバイスであって、前記第１のテクノロジーノードは、６５ｎｍ、８０ｎｍ、９０ｎｍ、１１０ｎｍ、１３０ｎｍ、１５０ｎｍ、１８０ｎｍ、２２０ｎｍ、２４０ｎｍ、２５０ｎｍ、２８０ｎｍ、３５０ｎｍ、または５００ｎｍである、超音波デバイス。
【請求項６】
請求項３に記載の超音波デバイスであって、前記第２のテクノロジーノードは、９０ｎｍ、８０ｎｍ、６５ｎｍ、５５ｎｍ、４５ｎｍ、４０ｎｍ、３２ｎｍ、２８ｎｍ、２２ｎｍ、２０ｎｍ、１６ｎｍ、１４ｎｍ、１０ｎｍ、７ｎｍ、５ｎｍ、または３ｎｍである、超音波デバイス。
【請求項７】
請求項１に記載の超音波デバイスであって、前記集積デジタル処理回路は、約０．４５〜０．９ボルトの範囲の動作電圧で動作するように構成されている、超音波デバイス。
【請求項８】
請求項１に記載の超音波デバイスであって、前記集積デジタル処理回路は、約１〜１．８ボルトの範囲の動作電圧で動作するように構成されている、超音波デバイス。
【請求項９】
請求項１に記載の超音波デバイスであって、前記ＳＥＲＤＥＳ通信リンクは、並列で動作する複数のＳＥＲＤＥＳ通信リンクの第１のＳＥＲＤＥＳ通信リンクである、超音波デバイス。
【請求項１０】
請求項１に記載の超音波デバイスであって、前記アナログデジタル変換器（ＡＤＣ）は、複数のＡＤＣの一つであり、前記ＳＥＲＤＥＳ送信回路は、前記複数のＡＤＣからマルチプレックス式でデータを受信するように構成されている、超音波デバイス。
【請求項１１】
請求項１に記載の超音波デバイスであって、前記第１のＡＳＩＣの前記ＡＳＩＣは、前記第１のＡＳＩＣの前記集積アナログ処理受信回路と前記ＳＥＲＤＥＳ送信回路との間に電気的に配置されている、超音波デバイス。
【請求項１２】
請求項１１に記載の超音波デバイスであって、印刷回路基板（ＰＣＢ）を更に備え、
前記ＳＥＲＤＥＳ通信リンクは、前記ＰＣＢのトレースを含み、
前記第２のＡＳＩＣの前記ＳＥＲＤＥＳ受信回路は、前記ＰＣＢの前記トレースと前記第２のＡＳＩＣの前記集積デジタル処理回路との間に配置されている、超音波デバイス。
【請求項１３】
請求項１に記載の超音波デバイスであって、印刷回路基板（ＰＣＢ）を更に備え、
前記ＳＥＲＤＥＳ通信リンクは、前記ＰＣＢのトレースを含み、
前記第２のＡＳＩＣの前記ＳＥＲＤＥＳ受信回路は、前記ＰＣＢの前記トレースと前記第２のＡＳＩＣの前記集積デジタル処理回路との間に配置されている、超音波デバイス。
【請求項１４】
請求項１に記載の超音波デバイスであって、印刷回路基板（ＰＣＢ）を更に備え、前記第１のＡＳＩＣ及び前記第２のＡＳＩＣは、両方とも、前記ＰＣＢに結合されている、超音波デバイス。
【請求項１５】
請求項１に記載の超音波デバイスであって、複数の超音波トランスデューサを備えるデバイスを更に備え、
前記第１のＡＳＩＣの前記パルサは、複数のパルスをそれぞれの前記複数の超音波トランスデューサのそれぞれの超音波トランスデューサに供給するように構成されており、
前記複数の超音波トランスデューサは、前記複数のパルスを受信することに応答して音響信号を生成するように構成されている、超音波デバイス。
【手続補正書】
【提出日】令和3年11月4日(2021.11.4)
【手続補正１】
【補正対象書類名】特許請求の範囲
【補正対象項目名】全文
【補正方法】変更
【補正の内容】
【特許請求の範囲】
【請求項１】
単一のコンピュータ断層撮影スキャンのスキャンパラメータを処理して、ボリュメトリック画像データ行列内の各ボクセル位置について１回だけジオメトリ値を生成する単一のジオメトリ演算器と、
前記単一のコンピュータ断層撮影スキャンの前記スキャンパラメータ及び前記ジオメトリ値を処理して、前記ボリュメトリック画像データ行列内の各ボクセル位置について重み値を生成する少なくとも１つの重み演算器と、
それぞれが前記重み値及び同じジオメトリ値を使用して、同じ単一のコンピュータ断層撮影スキャンから生成されたそれぞれ異なるタイプの投影データを処理して、前記ボリュメトリック画像データ行列に基づき且つ前記それぞれ異なるタイプの投影データに対応するボリュメトリック画像データを生成する複数のデータ補間器であって、前記異なるタイプの投影データを同時に処理する、複数のデータ補間器と、
を含む単一の逆投影器を含む、システム。
【請求項２】
前記異なるタイプの投影データは、少なくとも２つの異なるエネルギースペクトルのスペクトル投影データを含む、請求項１に記載のシステム。
【請求項３】
前記異なるタイプの投影データは、少なくとも光電効果成分及びコンプトン散乱成分を含む、請求項１に記載のシステム。
【請求項４】
前記光電効果成分及び前記コンプトン散乱成分の少なくとも１つが、少なくとも２つの異なる周波数成分に分割される、請求項３に記載のシステム。
【請求項５】
前記異なるタイプの投影データは、投影データ及び前記投影データのノイズ推定値を含む、請求項１から４のいずれか一項に記載のシステム。
【請求項６】
前記スキャンパラメータは、被験者支持体のｚ軸位置、放射線源の角度位置、前記放射線源によって放出された放射線ビームの幅、検出器アレイの検出器の角度位置、及び、前記検出器のｚ軸位置のうちの１つ又は複数を含む、請求項１から５のいずれか一項に記載のシステム。
【請求項７】
前記異なるタイプの投影データを生成する投影データプロセッサを更に含む、請求項１から６のいずれか一項に記載のシステム。
【請求項８】
放射Ｘ線を放出する放射源と、
前記放射線源から放出された放射Ｘ線を検出し、そこから同じ投影データを生成する検出器と、
を更に含む、請求項１から７のいずれか一項に記載のシステム。
【請求項９】
前記異なるタイプの投影データは、コンピュータ断層撮影イメージングシステムから受信される、請求項１から６のいずれか一項に記載のシステム。
【請求項１０】
前記重み値は、前記異なるタイプの投影データのすべてについて単一のセットの重み値を含み、前記複数のデータ補間器のすべては、同じ単一のセットの重み値を使用して投影データを処理する、請求項１から９のいずれか一項に記載のシステム。
【請求項１１】
前記重み値は、少なくとも第１のセットの重み値及び第２のセットの異なる重み値を含み、前記複数のデータ補間器の少なくとも２つのデータ補間器は、前記第１のセットの重み値及び前記第２のセットの異なる重み値の一方のみを使用し、前記複数のデータ補間器の少なくとも１つの異なるデータ補間器は、前記第１のセットの重み値及び前記第２のセットの異なる重み値の他方を使用する、請求項１から９のいずれか一項に記載のシステム。
【請求項１２】
プロセッサによって実行されると、前記プロセッサに、
１つの逆投影器だけを用いて、
単一のコンピュータ断層撮影スキャンのスキャンパラメータから、ボリュメトリック画像データ行列内の各ボクセル位置について１回だけジオメトリ値を計算させ、
前記単一のコンピュータ断層撮影スキャンのスキャンパラメータ及び前記ジオメトリ値から、前記ボリュメトリック画像データ行列内の各ボクセル位置について１つ以上のセットの重み値を計算させ、
同時に、且つ、同じジオメトリ値を使用し、及び、前記１つ以上のセットの重み値を使用して、同じ単一のコンピュータ断層撮影スキャンからの投影データから生成されたそれぞれ異なるタイプの投影データを補間及び加算して、前記ボリュメトリック画像データ行列に基づき且つ前記それぞれ異なるタイプの投影データに対応するボリュメトリック画像データを生成させる、コンピュータ実行可能命令でコード化されたコンピュータ可読媒体。
【請求項１３】
前記投影データは、マルチエネルギー投影データであり、前記異なるタイプの投影データは、少なくとも２つの異なるエネルギースペクトルのスペクトル投影データを含む、請求項１２に記載のコンピュータ可読媒体。
【請求項１４】
前記異なるタイプの投影データは、投影データ及び前記投影データのノイズ推定値を含む、請求項１２に記載のコンピュータ可読媒体。
【請求項１５】
単一の逆投影器を用いて、単一のコンピュータ断層撮影スキャンのスキャンパラメータから、ボリュメトリック画像データ行列内の各ボクセル位置についてジオメトリ値を１回だけ計算するステップと、
前記単一の逆投影器を用いて、前記単一のコンピュータ断層撮影スキャンのスキャンパラメータ及び前記ジオメトリ値から、前記ボリュメトリック画像データ行列内の各ボクセル位置について重み値を計算するステップと、
同じジオメトリ値を使用し、且つ、前記重み値を使用して、同じ単一のコンピュータ断層撮影スキャンからの同じ投影データから生成されたそれぞれ異なるタイプの投影データを、同時に、且つ、前記単一の逆投影器を用いて補間及び加算して、前記ボリュメトリック画像データ行列に基づき且つ前記それぞれ異なるタイプの投影データに対応するボリュメトリック画像データを生成するステップと、
を含む、方法。
【手続補正書】
【提出日】令和3年11月2日(2021.11.2)
【手続補正１】
【補正対象書類名】特許請求の範囲
【補正対象項目名】全文
【補正方法】変更
【補正の内容】
【特許請求の範囲】
【請求項１】
式Ｉ：
【化１】
2021502358.tif 000001
［式中、
Ｘは結合、−Ｏ−、−Ｓ−、−ＮＲ７−、アルキレン、アルキレンオキシ、アルキレンチオ、またはアルキレン−ＮＲ７−であり；
Ｒ１は水素、ハロ、またはアルキルであり；
Ｒ２はグアニジル、（ジヒドロイミダゾリル）アミノ、（イミダゾリル）アミノ、（テトラヒドロピリミジル）アミノ、（ピリジニル）アミノ、（ベンゾイミダゾリル）アミノ、テトラヒドロナフチリジニル、ナフチリジニル、ジヒドロピリドオキサジニル、テトラヒドロピリドピラジニル、テトラヒドロピリドアゼピニル、テトラヒドロピリドオキサゼピニル、ジヒドロイミダゾイミダゾリル、またはテトラヒドロイミダゾピリミジニルであり、０−２個のアルキル置換基で置換され；
あるいは、Ｒ２Ｘは一緒になって、ジ−（（テトラヒドロナフチリジニル）メチル）メチルであり；
Ｒ３は水素、ハロ、またはアルキルであり；
Ｒ４は水素またはＡｒ１であり；
Ｒ５は水素、ベンジルオキシカルボニルアミノ、またはＡｒ１ＳＯ２ＮＨであり；
Ｒ６は水素またはアルキルであり；
Ｒ７は水素またはアルキルであり；
Ａｒ１はフェニル、ナフチル、ジヒドロベンゾフラニル、ピリジニル、ピリダジニル、ピリミジニル、ピラジニル、キノリニル、またはキノキサリニルであり、かつ、シアノ、ハロ、アルキル、ハロアルキル、ヒドロキシ、アルコキシ、（シクロアルキル）アルコキシ、およびハロアルコキシから選択される、０−３個の置換基で置換されている。］
で示される化合物、またはその薬学的に許容可能な塩。
【請求項２】
Ｘが結合またはアルキレンであり；
Ｒ１が水素またはハロであり；
Ｒ２がグアニジル、（ジヒドロイミダゾリル）アミノ、（イミダゾリル）アミノ、（テトラヒドロピリミジル）アミノ、（ピリジニル）アミノ、（ベンゾイミダゾリル）アミノ、テトラヒドロナフチリジニル、ナフチリジニル、ジヒドロピリドオキサジニル、テトラヒドロピリドピラジニル、テトラヒドロピリドアゼピニル、テトラヒドロピリドオキサゼピニル、ジヒドロイミダゾイミダゾリル、またはテトラヒドロイミダゾピリミジニルであり、かつ、０−２個のアルキル置換基で置換され；
Ｒ３が水素であり；
Ｒ４が水素またはＡｒ１であり；
Ｒ５が水素、ベンジルオキシカルボニルアミノ、またはＡｒ１ＳＯ２ＮＨであり；
Ｒ６が水素またはアルキルであり；
Ｒ７が水素またはアルキルであり；
Ａｒ１がフェニル、ナフチル、ジヒドロベンゾフラニル、ピリジニル、ピリダジニル、ピリミジニル、ピラジニル、キノリニル、またはキノキサリニルであり、かつ、シアノ、ハロ、アルキル、ハロアルキル、ヒドロキシ、アルコキシ、（シクロアルキル）アルコキシ、およびハロアルコキシから選択される、０−３個の置換基で置換されている、
請求項１に記載の化合物、またはその薬学的に許容可能な塩。
【請求項３】
Ｘが結合またはアルキレンである、請求項１に記載の化合物、またはその薬学的に許容可能な塩。
【請求項４】
Ｒ１が水素またはハロである、請求項１に記載の化合物、またはその薬学的に許容可能な塩。
【請求項５】
Ｒ２が（ピリジニル）アミノ、テトラヒドロナフチリジニル、またはナフチリジニルであり、かつ、０−２個のアルキル置換基で置換されている、請求項１に記載の化合物、またはその薬学的に許容可能な塩。
【請求項６】
Ｒ３が水素である、請求項１に記載の化合物、またはその薬学的に許容可能な塩。
【請求項７】
Ｒ４がＡｒ１であり；Ｒ５が水素である、請求項１に記載の化合物、またはその薬学的に許容可能な塩。
【請求項８】
Ｒ４が水素であり、Ｒ５がベンジルオキシカルボニルアミノまたはＡｒ１ＳＯ２ＮＨである、請求項１に記載の化合物、またはその薬学的に許容可能な塩。
【請求項９】
Ａｒ１がフェニル、ピリジニル、またはピリミジニルであり、かつ、シアノ、ハロ、アルキル、ハロアルキル、ヒドロキシ、アルコキシ、（シクロアルキル）アルコキシ、およびハロアルコキシから選択される、０−３個の置換基で置換されている、請求項１に記載の化合物、またはその薬学的に許容可能な塩。
【請求項１０】
請求項１に記載の化合物、またはその薬学的に許容可能な塩、および担体を含む、医薬組成物。
【請求項１１】
請求項１に記載の化合物、またはその薬学的に許容可能な塩を含む、病理学的線維症、移植片拒絶、癌、骨粗鬆症、または炎症性疾患から選択される、疾患、障害、または病状を治療するための医薬組成物。
【請求項１２】
病理学的線維症が、肺、肝臓、腎臓、心臓、皮膚、眼、または膵線維症である、請求項１１に記載の医薬組成物。
【請求項１３】
疾患、障害、または病状が、特発性肺線維症（ＩＰＦ）、非アルコール性脂肪性肝炎（ＮＡＳＨ）、慢性腎臓病、糖尿病性腎症、および全身性硬化症である、請求項１１に記載の医薬組成物。
【請求項１４】
癌が、膀胱、血液、骨、脳、乳房、中枢神経系、頸、結腸、子宮内膜、食道、胆嚢、生殖器、泌尿生殖器、頭部、腎臓、喉頭、肝臓、肺、筋肉組織、頸部、口または鼻粘膜、卵巣、膵臓、前立腺、皮膚、脾臓、小腸、大腸、胃、精巣、または甲状腺である、請求項１１に記載の医薬組成物。
【手続補正書】
【提出日】令和3年10月25日(2021.10.25)
【手続補正１】
【補正対象書類名】特許請求の範囲
【補正対象項目名】全文
【補正方法】変更
【補正の内容】
【特許請求の範囲】
【請求項１】
個体において癌を処置するためのサイトメガロウイルス（ＣＭＶ）タンパク質由来の少なくとも１つのエピトープを含む抗原を含む医薬組成物であって、ここで、抗原が既存の免疫応答を癌部位に動員し、それにより癌を処置するものであり、かつ該抗原が処置の開始前に癌細胞によって発現されておらず、また該抗原が既存の免疫応答の１以上の構成要素により認識される、医薬組成物。
【請求項２】
既存の免疫応答が天然の既存の免疫応答である、請求項１に記載の組成物。
【請求項３】
個体に組成物を投与する前に、該個体が抗原に対して既存の免疫応答を有することが確認されている、請求項１または２に記載の組成物。
【請求項４】
既存の免疫応答の存在が、個体由来のサンプルにおいて抗原に対するＴ細胞応答を同定することにより確認されている、請求項３に記載の組成物。
【請求項５】
癌への注射用である、請求項１から４のいずれか一項に記載の組成物。
【請求項６】
抗原が、組成物中の核酸分子にコードされている、請求項１から５のいずれか一項に記載の組成物。
【請求項７】
核酸分子がＤＮＡである、請求項６に記載の組成物。
【請求項８】
核酸分子がＲＮＡである、請求項６に記載の組成物。
【請求項９】
ＲＮＡが、分解に対してより耐性になるように修飾される、請求項８に記載の組成物。
【請求項１０】
核酸分子が、ウイルスベクターに含まれている、請求項６に記載の組成物。
【請求項１１】
ウイルスベクターが、シュウドビリオンに含まれている、請求項１０に記載の組成物。
【請求項１２】
シュウドビリオンがパピローマウイルスシュウドビリオンである、請求項１１に記載の組成物。
【請求項１３】
１以上の構成要素がＴ細胞である、請求項１から１２のいずれか一項に記載の組成物。
【請求項１４】
ＣＭＶタンパク質が、ｐｐ５０、ｐｐ６５、ｐｐ１５０、ＩＥ-１、ＩＥ-２、ｇＢ、ＵＳ２、ＵＳ６、ＵＬ１６およびＵＬ１８からなる群より選択される、請求項１から１３のいずれか一項に記載の組成物。
【請求項１５】
抗原が、９−１５アミノ酸のＭＨＣ Ｉ制限ペプチドである、請求項１から１３のいずれか一項に記載の組成物。
【請求項１６】
抗原が、少なくとも１５アミノ酸のＭＨＣ ＩＩ制限ペプチドである、請求項１から１３のいずれか一項に記載の組成物。
【請求項１７】
抗原が、配列番号１−６７からなる群より選択される配列と少なくとも９０％同一の配列を含む、請求項１から１３のいずれか一項に記載の組成物。
【請求項１８】
抗原が、配列番号１−６７のいずれか１つから選択される配列を含む、請求項１から１３のいずれか一項に記載の組成物。
【請求項１９】
既存の免疫応答の動員が、Ｂ細胞機能、インターロイキン、ＴＮＦスーパーファミリー、抗原プロセシング、ＭＨＣ、適応免疫、トランスポーター機能、接着、ＮＫ細胞機能、Ｔ細胞機能、ＣＤ分子、白血球機能、補体経路、ミクログリア機能、液性免疫、ＴＬＲ、炎症、樹状細胞機能、インターフェロン、自然免疫、マクロファージ機能、ケモカインおよび受容体、老化、アポトーシス、サイトカインおよび受容体、癌の進行、基本的な細胞機能、細胞周期、および病原体の反応から選択される癌の微小環境を変化させる、請求項１から１８のいずれか一項に記載の組成物。
【請求項２０】
組成物が、ＴＬＲアゴニスト；ＩＬ−１Ｒ８サイトカインアンタゴニスト；静脈内免疫グロブリン（ＩＶＩＧ）；グラム陽性菌から単離されたペプチドグリカン；グラム陽性菌から単離されたリポテイコ酸；グラム陽性菌から単離されたリポタンパク質；酵母細胞壁から単離されたマイコバクテリア、ザイモサンから単離されたリポアラビノマンナン；ポリアデニル酸−ポリウリジル酸；ポリ（ＩＣ）；リポ多糖；モノホスホリルリピドＡ；フラジェリン；ガーディキモド；イミキモド；Ｒ８４８；ＣｐＧモチーフ、ＣＤ４０アゴニストおよび２３ＳリボソームＲＮＡを含むオリゴヌクレオシドから選択される免疫応答を増強する薬剤と組み合わせて投与されることを意図される、請求項１から１９のいずれか一項に記載の組成物。
【請求項２１】
組成物がｐｏｌｙ−ＩＣと組み合わせて投与される、請求項２０に記載の組成物。
【請求項２２】
癌が固形腫瘍である、請求項１から２１のいずれか一項に記載の組成物。
【請求項２３】
癌が血液の癌である、請求項１から２１のいずれか一項に記載の組成物。
【手続補正書】
【提出日】令和3年11月4日(2021.11.4)
【手続補正１】
【補正対象書類名】特許請求の範囲
【補正対象項目名】全文
【補正方法】変更
【補正の内容】
【特許請求の範囲】
【請求項１】
ポリマー製の天壁部と、
前記ポリマー製の天壁部から垂下するポリマー製の環状スカート部であって、対応付けられるコンテナの口部における外ねじ構造と嵌合するための内ねじ構造を備え、内面および外面を有する、環状スカート部と、
前記ポリマー製の天壁部から垂下するポリマー製の連続的なシール栓であって、前記ポリマー製の環状スカート部の前記内面から離間している、シール栓と、
前記ポリマー製の天壁部から垂下する天部シール部材であって、前記連続的なシール栓と前記環状スカート部との間に位置し、連続的である、天部シール部材と、
前記ポリマー製の天壁部から垂下する天部止めであって、前記連続的なシール栓と前記環状スカート部との間に位置する、天部止めと、
を有するクロージャであって、ここで、
前記天部シール部材は、前記クロージャと前記コンテナとが大気内圧において、前記クロージャと前記コンテナとを緩めることなく、互いに嵌合するとき、（ａ）前記コンテナの前記口部の天面、（ｂ）前記コンテナの前記口部の内周もしくは内隅の天部、（ｃ）前記コンテナの前記口部の外周もしくは外隅の天部、または（ｄ）これらの任意の組み合わせ、にまで達して接触し、
前記天部シール部材および前記天部止めは、前記クロージャと前記コンテナとが少なくとも約５０ｐｓｉの内圧のもとで、前記クロージャと前記コンテナとを緩めることなく、互いに嵌合するとき、（ａ）前記コンテナの前記口部の前記天面、（ｂ）前記コンテナの前記口部の前記内周および内隅の前記天部、ならびに（ｃ）前記コンテナの前記口部の前記外周および外隅の前記天部、から離間して上方に位置するように構成された、クロージャ。
【請求項２】
ポリマー製の不正開封明示要素をさらに備える、請求項１に記載のクロージャ。
【請求項３】
前記クロージャはワンピースのクロージャである、請求項１に記載のクロージャ。
【請求項４】
前記天部シール部材および前記天部止めは、前記クロージャと前記コンテナとが大気内圧のもとで互いに嵌合するとき、前記コンテナの前記口部の天面にまで達して接触する、請求項１に記載のクロージャ。
【請求項５】
前記天部シール部材および前記天部止めは、前記クロージャと前記コンテナとが少なくとも約６０ｐｓｉの内圧のもとで互いに嵌合するとき、（ａ）前記コンテナの前記口部の前記天面、（ｂ）前記コンテナの前記口部の前記内周および内隅の前記天部、ならびに（ｃ）前記コンテナの前記口部の前記外周および外隅の前記天部、から離間して上方に位置するように構成された、請求項１に記載のクロージャ。
【請求項６】
前記天部シール部材および前記天部止めは、前記クロージャと前記コンテナとが少なくとも７０ｐｓｉの内圧のもとで互いに嵌合するとき、（ａ）前記コンテナの前記口部の前記天面、（ｂ）前記コンテナの前記口部の前記内周および内隅の前記天部、ならびに（ｃ）前記コンテナの前記口部の前記外周および外隅の前記天部、から離間して上方に位置するように構成された、請求項１に記載のクロージャ。
【請求項７】
前記天部シール部材と前記コンテナの前記口部との距離は、７０ｐｓｉにおいては約０．００１から約０．０１５インチである、請求項１に記載のクロージャ。
【請求項８】
前記天部シール部材は、前記連続的な栓と前記天部止めとの間に位置する、請求項１に記載のクロージャ。
【請求項９】
前記天部シール部材は、前記天壁部から下方に向けて、かつ、前記ポリマー製の環状スカート部の方へと外側に向かって広がる、請求項１に記載のクロージャ。
【請求項１０】
開口を規定する口部を有するコンテナであって、前記口部における外ねじ構造を備える、コンテナと、
前記開口を閉じるための、前記コンテナの前記口部に対する付属品として構成されるクロージャと、
を有する包装容器であって、前記クロージャは、
ポリマー製の天壁部と、
前記ポリマー製の天壁部から垂下するポリマー製の環状スカート部であって、前記コンテナの前記口部における前記外ねじ構造と嵌合するための内ねじ構造を備え、内面および外面を有する、環状スカート部と、
前記ポリマー製の天壁部から垂下するポリマー製の連続的なシール栓であって、前記ポリマー製の環状スカート部の前記内面から離間している、シール栓と、
前記ポリマー製の天壁部から垂下する天部シール部材であって、前記連続的なシール栓と前記環状スカート部との間に位置し、連続的である、天部シール部材と、
前記ポリマー製の天壁部から垂下する天部止めであって、前記連続的なシール栓と前記環状スカート部との間に位置する、天部止めと、
を有しており、ここで、
前記天部シール部材は、前記クロージャと前記コンテナとが大気内圧において互いに嵌合するとき、（ａ）前記コンテナの前記口部の天面、（ｂ）前記コンテナの前記口部の内周もしくは内隅の天部、（ｃ）前記コンテナの前記口部の外周もしくは外隅の天部、または（ｄ）これらの任意の組み合わせ、にまで達して接触し、
前記天部シール部材および前記天部止めは、前記クロージャと前記コンテナとが少なくとも約５０ｐｓｉの内圧のもとで互いに嵌合するとき、（ａ）前記コンテナの前記口部の前記天面、（ｂ）前記コンテナの前記口部の前記内周および内隅の前記天部、ならびに（ｃ）前記コンテナの前記口部の前記外周および外隅の前記天部、から離間して上方に位置するように構成された、包装容器。
【手続補正書】
【提出日】令和3年11月5日(2021.11.5)
【手続補正１】
【補正対象書類名】特許請求の範囲
【補正対象項目名】全文
【補正方法】変更
【補正の内容】
【特許請求の範囲】
【請求項１】
骨吸収を低減させることを必要とする対象において骨吸収を低減させるための、骨形成を増加させることを必要とする対象において骨形成を増加させるための、骨強度を増加させることを必要とする対象において骨強度を増加させるための、あるいは骨折のリスクを低減することを必要とする対象において骨折のリスクを低減するための、医薬組成物において、
前記医薬組成物は、治療上有効な量の、細胞外アクチビンＩＩａ型受容体（ＡｃｔＲＩＩａ）変異体を含むポリペプチド、前記ポリペプチドをコードする核酸分子、または前記核酸分子を含むベクターを含み、前記変異体はＧＡＩＬＧＲＳＥＴＱＥＣＬＸ１Ｘ２ＮＡＮＷＸ３Ｘ４Ｘ５Ｘ６ＴＮＱＴＧＶＥＸ７ＣＸ８ＧＸ９Ｘ１０Ｘ１１Ｘ１２Ｘ１３Ｘ１４ＨＣＸ１５ＡＴＷＸ１６ＮＩＳＧＳＩＥＩＶＸ１７Ｘ１８ＧＣＸ１９Ｘ２０Ｘ２１ＤＸ２２ＮＣＹＤＲＴＤＣＶＥＸ２３Ｘ２４Ｘ２５Ｘ２６ＰＸ２７ＶＹＦＣＣＣＥＧＮＭＣＮＥＫＦＳＹＦＰＥＭＥＶＴＱＰＴＳ（配列番号１）の配列を有し、前記配列において、Ｘ１はＦまたはＹであり；Ｘ２はＹまたはＦであり；Ｘ３はＥまたはＡであり；Ｘ４はＬまたはＫであり；Ｘ５はＥまたはＤであり；Ｘ６はＲまたはＡであり；Ｘ７はＲまたはＰであり；Ｘ８はＥまたはＹであり；Ｘ９はＥまたはＤであり；Ｘ１０はＫまたはＱであり；Ｘ１１はＤまたはＡであり；Ｘ１２はＫまたはＡであり；Ｘ１３はＲまたはＡであり；Ｘ１４はＬまたはＲであり；Ｘ１５はＹまたはＦであり；Ｘ１６はＲ、Ｋ、またはＡであり；Ｘ１７はＫ、Ａ、Ｙ、Ｆ、またはＩであり；Ｘ１８はＫまたはＱであり；Ｘ１９はＷまたはＡであり；Ｘ２０はＬまたはＡであり；Ｘ２１はＤ、Ｋ、Ｒ、Ａ、Ｆ、Ｇ、Ｍ、Ｎ、またはＩであり；Ｘ２２はＦ、Ｉ、またはＡであり；Ｘ２３はＴまたはＫであり；Ｘ２４はＥまたはＫであり；Ｘ２５はＥまたはＤであり；Ｘ２６はＮまたはＳであり；かつ、Ｘ２７はＱまたはＥであり、かつ前記変異体は、配列番号７３の配列を有する野生型細胞外ＡｃｔＲＩＩａまたは配列番号７６〜９６の配列のうちいずれか１つを有する細胞外ＡｃｔＲＩＩａに対して少なくとも１つのアミノ酸置換を有する、
医薬組成物。
【請求項２】
前記対象が、原発性骨粗鬆症、続発性骨粗鬆症、骨減少症、大理石骨病、骨折、骨癌もしくは癌転移関連骨量減少、パジェット病、腎性骨異栄養症、治療関連骨量減少、食事関連骨量減少、肥満の治療に関連する骨量減少、低重力関連骨量減少、または不動関連骨量減少を有するか、或いはそれらを発症するリスクにある、請求項１に記載の医薬組成物。
【請求項３】
骨疾患を有するかあるいは骨疾患を発症するリスクがある対象を治療するための医薬組成物であって、
前記医薬組成物は、治療上有効な量の、細胞外アクチビンＩＩａ型受容体（ＡｃｔＲＩＩａ）変異体を含むポリペプチド、前記ポリペプチドをコードする核酸分子、または前記核酸分子を含むベクターを含み、前記変異体はＧＡＩＬＧＲＳＥＴＱＥＣＬＸ１Ｘ２ＮＡＮＷＸ３Ｘ４Ｘ５Ｘ６ＴＮＱＴＧＶＥＸ７ＣＸ８ＧＸ９Ｘ１０Ｘ１１Ｘ１２Ｘ１３Ｘ１４ＨＣＸ１５ＡＴＷＸ１６ＮＩＳＧＳＩＥＩＶＸ１７Ｘ１８ＧＣＸ１９Ｘ２０Ｘ２１ＤＸ２２ＮＣＹＤＲＴＤＣＶＥＸ２３Ｘ２４Ｘ２５Ｘ２６ＰＸ２７ＶＹＦＣＣＣＥＧＮＭＣＮＥＫＦＳＹＦＰＥＭＥＶＴＱＰＴＳ（配列番号１）の配列を有し、前記配列において、Ｘ１はＦまたはＹであり；Ｘ２はＹまたはＦであり；Ｘ３はＥまたはＡであり；Ｘ４はＬまたはＫであり；Ｘ５はＥまたはＤであり；Ｘ６はＲまたはＡであり；Ｘ７はＲまたはＰであり；Ｘ８はＥまたはＹであり；Ｘ９はＥまたはＤであり；Ｘ１０はＫまたはＱであり；Ｘ１１はＤまたはＡであり；Ｘ１２はＫまたはＡであり；Ｘ１３はＲまたはＡであり；Ｘ１４はＬまたはＲであり；Ｘ１５はＹまたはＦであり；Ｘ１６はＲ、Ｋ、またはＡであり；Ｘ１７はＫ、Ａ、Ｙ、Ｆ、またはＩであり；Ｘ１８はＫまたはＱであり；Ｘ１９はＷまたはＡであり；Ｘ２０はＬまたはＡであり；Ｘ２１はＤ、Ｋ、Ｒ、Ａ、Ｆ、Ｇ、Ｍ、Ｎ、またはＩであり；Ｘ２２はＦ、Ｉ、またはＡであり；Ｘ２３はＴまたはＫであり；Ｘ２４はＥまたはＫであり；Ｘ２５はＥまたはＤであり；Ｘ２６はＮまたはＳであり；かつ、Ｘ２７はＱまたはＥであり、かつ前記変異体は、配列番号７３の配列を有する野生型細胞外ＡｃｔＲＩＩａまたは配列番号７６〜９６の配列のうちいずれか１つを有する細胞外ＡｃｔＲＩＩａに対して少なくとも１つのアミノ酸置換を有する、
医薬組成物。
【請求項４】
前記骨疾患が、原発性骨粗鬆症、続発性骨粗鬆症、骨減少症、大理石骨病、骨折、骨癌もしくは癌転移関連骨量減少、パジェット病、腎性骨異栄養症、治療関連骨量減少、食事関連骨量減少、肥満の治療に関連する骨量減少、低重力関連骨量減少、または不動関連骨量減少である、請求項３に記載の医薬組成物。
【請求項５】
前記原発性骨粗鬆症が加齢性骨粗鬆症またはホルモン関連骨粗鬆症である、請求項２または請求項４に記載の医薬組成物。
【請求項６】
前記続発性骨粗鬆症は不動誘発性骨粗鬆症またはグルココルチコイド誘発性骨粗鬆症である、請求項２または請求項４に記載の医薬組成物。
【請求項７】
前記癌は多発性骨髄腫である、請求項２または請求項４に記載の医薬組成物。
【請求項８】
前記治療はＦＧＦ−２１治療、ＧＬＰ−１治療、癌治療、または肥満もしくは２型糖尿病のための治療である、請求項２または請求項４に記載の医薬組成物。
【請求項９】
前記食事関連骨量減少はくる病である、請求項２または請求項４に記載の医薬組成物。
【請求項１０】
Ｘ２３はＴであり；Ｘ２４はＥであり；Ｘ２５はＥであり；かつＸ２６はＮであるか、あるいは、Ｘ２３はＴであり；Ｘ２４はＫであり；Ｘ２５はＥであり；Ｘ２６はＮである、請求項１〜９のいずれか一項に記載の医薬組成物。
【請求項１１】
Ｘ１７はＫである、請求項１〜１０のいずれか一項に記載の医薬組成物。
【請求項１２】
前記変異体が配列番号６〜７２のいずれか１つの配列を有する、請求項１〜１１のいずれか一項に記載の医薬組成物。
【請求項１３】
１以上のアミノ酸のＣ末端伸長部をさらに含む、請求項１〜１２のいずれか一項に記載の医薬組成物。
【請求項１４】
前記Ｃ末端伸長部は、ＮＰまたはＮＰＶＴＰＫである、請求項１３に記載の医薬組成物。
【請求項１５】
リンカーを介して前記ポリペプチドのＣ末端に融合された、Ｆｃドメイン単量体、野生型Ｆｃドメイン、アミノ酸置換を含むＦｃドメイン、アルブミン結合ペプチド、フィブロネクチンドメイン、またはヒト血清アルブミンをさらに含む、請求項１〜１４のいずれか一項に記載の医薬組成物。
【請求項１６】
前記骨が皮質骨である、請求項１〜１５のいずれか一項に記載の医薬組成物。
【請求項１７】
前記骨が骨梁である、請求項１〜１５のいずれか一項に記載の医薬組成物。
【手続補正２】
【補正対象書類名】明細書
【補正対象項目名】発明の名称
【補正方法】変更
【補正の内容】
【発明の名称】アクチビンＩＩａ型受容体変異体を含む医薬組成物
【手続補正書】
【提出日】令和3年11月5日(2021.11.5)
【手続補正１】
【補正対象書類名】特許請求の範囲
【補正対象項目名】全文
【補正方法】変更
【補正の内容】
【特許請求の範囲】
【請求項１】
血管新生の進行を検出するためにヒトの組織を画像化する方法に使用するための、式Ｉの化合物を含むトレーサーであって、前記方法は、
式Ｉの化合物を組織に接触させ、又は投与する工程、
【化１】
2021502377.tif 000001
及び、画像化システムでその組織を画像化する工程を含む、トレーサー。
【請求項２】
画像化は、組織内のがんの画像化を含む、請求項１に記載のトレーサー。
【請求項３】
画像化システムはＰＥＴ画像化システムである、請求項１又は２に記載のトレーサー。
【請求項４】
１つ又は複数の血管新生関連疾患の存在の診断に使用するための、式Ｉの化合物を含むトレーサーであって、前記診断は、
式Ｉの化合物を組織に接触させ、又は投与すること、
【化２】
2021502377.tif 000002
及び、画像化システムでその組織を画像化することにより行われ、前記化合物の位置は、血管新生関連疾患の位置に対応する、トレーサー。
【請求項５】
画像化は、組織内のがんの画像化を含む、請求項４に記載のトレーサー。
【請求項６】
画像化システムはＰＥＴ画像化システムである、請求項４又は５に記載のトレーサー。
【請求項７】
画像化は、肝腫瘍又は肝転移、神経内分泌腫瘍、乳がん、又はリンパ節転移の画像化を含む、請求項４〜６のいずれか一項に記載のトレーサー。
【請求項８】
血管新生の進行を検出するためにヒトの組織を画像化する方法に使用するための、［６４Ｃｕ］ＮＯＤＡＧＡ−Ｅ［ｃ（ＲＧＤｙＫ）］２を含むトレーサーであって、前記方法は、［６４Ｃｕ］ＮＯＤＡＧＡ−Ｅ［ｃ（ＲＧＤｙＫ）］２を組織に接触させ、又は投与する工程、及び、画像化システムでその組織を画像化する工程を含む、トレーサー。
【請求項９】
画像化は、組織内のがんの画像化を含む、請求項８に記載のトレーサー。
【請求項１０】
画像化システムはＰＥＴ画像化システムである、請求項８又は９に記載のトレーサー。
【請求項１１】
１つ又は複数の血管新生関連疾患の存在の診断に使用するための、［６４Ｃｕ］ＮＯＤＡＧＡ−Ｅ［ｃ（ＲＧＤｙＫ）］２を含むトレーサーであって、前記診断は、
化合物［６４Ｃｕ］ＮＯＤＡＧＡ−Ｅ［ｃ（ＲＧＤｙＫ）］２を組織に接触させ、又は投与すること、及び、画像化システムでその組織を画像化することにより行われ、前記化合物の位置は、血管新生関連疾患の位置に対応する、トレーサー。
【請求項１２】
画像化は、組織内のがんの画像化を含む、請求項１１に記載のトレーサー。
【請求項１３】
画像化システムはＰＥＴ画像化システムである、請求項１１又は１２に記載のトレーサー。
【請求項１４】
画像化は、肝腫瘍又は肝転移、神経内分泌腫瘍、乳がん、又はリンパ節転移の画像化を含む、請求項８〜１３のいずれか一項に記載のトレーサー。
【請求項１５】
ヒト心臓の組織における血管新生応答を画像化する方法に使用するための、式Ｉの化合物を含むトレーサーであって、前記方法は、
式Ｉの化合物を組織に接触させ、又は投与する工程、
【化３】
2021502377.tif 000003
及び、画像化システムでその組織を画像化する工程を含む、トレーサー。
【請求項１６】
血管新生応答は、心筋梗塞の後で、又は血管新生療法に対する応答において画像化される、請求項１５に記載のトレーサー。
【請求項１７】
ヒト心臓の組織における血管新生応答を画像化する方法に使用するための、［６４Ｃｕ］ＮＯＤＡＧＡ−Ｅ［ｃ（ＲＧＤｙＫ）］２を含むトレーサーであって、前記方法は、［６４Ｃｕ］ＮＯＤＡＧＡ−Ｅ［ｃ（ＲＧＤｙＫ）］２を組織に接触させ、又は投与する工程、及び、画像化システムでその組織を画像化する工程を含む、トレーサー。
【請求項１８】
血管新生応答は、心筋梗塞の後で、又は血管新生療法に対する応答において画像化される、請求項１７に記載のトレーサー。
【手続補正２】
【補正対象書類名】明細書
【補正対象項目名】００１１
【補正方法】変更
【補正の内容】
【００１１】
【化１】
2021502377.tif 000004
【手続補正３】
【補正対象書類名】明細書
【補正対象項目名】００１６
【補正方法】変更
【補正の内容】
【００１６】
【化２】
2021502377.tif 000005
【手続補正４】
【補正対象書類名】明細書
【補正対象項目名】００１９
【補正方法】変更
【補正の内容】
【００１９】
【化３】
2021502377.tif 000006
【手続補正５】
【補正対象書類名】明細書
【補正対象項目名】００２４
【補正方法】変更
【補正の内容】
【００２４】
【化４】
2021502377.tif 000007
【手続補正書】
【提出日】令和3年11月9日(2021.11.9)
【手続補正１】
【補正対象書類名】特許請求の範囲
【補正対象項目名】全文
【補正方法】変更
【補正の内容】
【特許請求の範囲】
【請求項１】
構造：
【化１】
2021502386.tif 000001
（式中、Ｘ、Ｚ、Ａ、リンカー、リガーゼリガンド、及びＲ１〜Ｒ７は、本明細書に記載及び／または図示される好適な置換基及び部分の任意の組み合わせから選択される）を含む化合物；
またはその塩。
【手続補正書】
【提出日】令和3年11月9日(2021.11.9)
【手続補正１】
【補正対象書類名】特許請求の範囲
【補正対象項目名】全文
【補正方法】変更
【補正の内容】
【特許請求の範囲】
【請求項１】
構造：
【化１】
2021502388.tif 000001
；または
【化２】
2021502388.tif 000002
：
（式中、Ｒ１、Ｒ２−５、Ｒ６、Ｒ７、及びＸは、本明細書に記載及び／または図示される好適な置換基及び部分の任意の組み合わせから選択される）を含む化合物；
またはその塩。
【手続補正書】
【提出日】令和3年10月8日(2021.10.8)
【手続補正１】
【補正対象書類名】特許請求の範囲
【補正対象項目名】全文
【補正方法】変更
【補正の内容】
【特許請求の範囲】
【請求項１】
約６００ｍｇのリファマイシンＳＶ、もしくはその製薬上許容される塩、および１種または複数の製薬上許容される賦形剤を含む、固体剤形の形態の経口医薬組成物であって、前記経口医薬組成物は、放出制御用、遅延放出用、および／または持続放出用に配合されていることを特徴とする、経口医薬組成物。
【請求項２】
前記経口医薬組成物は、実質的に小腸で、リファマイシンＳＶ、またはその製薬上許容される塩を放出するように配合されていることを特徴とする、請求項１に記載の経口医薬組成物。
【請求項３】
前記経口医薬組成物は、実質的に、前記固体剤形が、腸の近位部の幽門通路内を通過した後に、リファマイシンＳＶ、またはその製薬上許容される塩を放出するように配合されていることを特徴とする、請求項１に記載の経口医薬組成物。
【請求項４】
少なくとも１種の親油性化合物、
少なくとも１種の親水性化合物、および
少なくとも１種の両親媒性化合物
の１種または複数を更に含むことを特徴とする、請求項１から３のいずれかに記載の経口医薬組成物。
【請求項５】
胃耐性コーティングを更に含むことを特徴とする、請求項１から４のいずれかに記載の経口医薬組成物。
【請求項６】
前記固体剤形が約ｐＨ５〜約ｐＨ７．５の範囲のｐＨを有する水性媒体中に置かれるとき、リファマイシンＳＶ、またはその製薬上許容される塩が前記固体剤形から放出されることを特徴とする、請求項１から５のいずれかに記載の経口医薬組成物。
【請求項７】
前記固体剤形が、コアおよび前記コアを覆う胃耐性コーティングを含むことを特徴とする、請求項１から６のいずれかに記載の経口医薬組成物。
【請求項８】
対象への前記固体剤形の１または複数の投与により、前記対象の血漿中で約９．５０時間のリファマイシンＳＶのｔmax,0-24が示されることを特徴とする、請求項１から７のいずれかに記載の経口医薬組成物。
【請求項９】
対象への前記固体剤形の３以上の投与により、
前記対象の血漿中で約２．３０±２．１４ｎｇ／ｍＬのリファマイシンＳＶのＣmax,0-6が示される、
前記対象の血漿中で約６．２３±４．５２ｎｇ／ｍＬのリファマイシンＳＶのＣmax,0-24が示される、
前記対象の血漿中で約３．３４±２．９６（ｎｇ）（ｈ）／ｍＬのリファマイシンＳＶのＡＵＣ0-6が示される、および／または
ヒトへの３の経口医薬組成物の投与後に、前記対象の血漿中で約９４７．９２±２０．２４（ｎｇ）（ｈ）／ｍｌのリファマイシンＳＶのＡＵＣ0-24が示される、
ことを特徴とする、請求項１から８のいずれかに記載の経口医薬組成物。
【請求項１０】
前記経口医薬組成物が投与される対象におけるリファマイシンＳＶの尿排出率が、前記対象に投与されるリファマイシンＳＶ、またはその製薬上許容される塩の総量の１％以下であることを特徴とする、請求項１から９のいずれかに記載の経口医薬組成物。
【請求項１１】
前記医薬組成物が、２時間、ＵＳＰ＜７１１＞に準拠するＵＳＰ溶解装置ＩＩ中に置かれる場合に、前記医薬組成物が、前記医薬組成物を構成する、リファマイシンＳＶ、またはその製薬上許容される塩の量の１０％以下を放出し、前記溶解装置が、ｐＨ１および３７±０．５oＣの温度で、０．１Ｍ塩酸および０．４％マクロゴールセトステアリルエーテルを含む１０００ｍＬの水溶液を含み、前記水溶液が、５０ｒｐｍの速度で攪拌されることを特徴とする、請求項１から１０のいずれかに記載の経口医薬組成物。
【請求項１２】
前記医薬組成物が、１時間、ＵＳＰ＜７１１＞に準拠するＵＳＰ溶解装置ＩＩ中に置かれる場合に、前記医薬組成物が、前記医薬組成物を構成する、リファマイシンＳＶ、またはその製薬上許容される塩の量の約２０％以下を放出し、前記溶解装置が、ｐＨ６．４および３７±０．５oＣの温度で、９００ｍＬの水性緩衝液を含み、前記水溶液が、１００ｒｐｍの速度で攪拌されることを特徴とする、請求項１から１１のいずれかに記載の経口医薬組成物。
【請求項１３】
前記医薬組成物が、６時間、ＵＳＰ＜７１１＞に準拠するＵＳＰ溶解装置ＩＩ中に置かれる場合に、前記医薬組成物が、前記医薬組成物を構成する、リファマイシンＳＶ、またはその製薬上許容される塩の量の約５０％以上を放出し、前記溶解装置が、ｐＨ６．４および３７±０．５oＣの温度で、９００ｍＬの水性緩衝液を含み、前記水溶液が、１００ｒｐｍの速度で攪拌されることを特徴とする、請求項１から１２のいずれかに記載の経口医薬組成物。
【請求項１４】
前記医薬組成物が、約２重量％以下のリファマイシンＳ、または約１重量％以下のリファマイシンＢを含有することを特徴とする、請求項１から１３のいずれかに記載の経口医薬組成物。
【請求項１５】
前記医薬組成物が、１０，０００ｐｐｍ以下のエタノールを含有することを特徴とする、請求項１から１４のいずれかに記載の経口医薬組成物。
【請求項１６】
前記固体剤形が、
３か月間、２５oＣおよび６０％相対湿度での前記固体剤形の貯蔵後に２重量％未満のリファマイシンＳを含有する、
３か月間、２５oＣおよび６０％相対湿度での前記固体剤形の貯蔵後に１重量％未満のリファマイシンＢを含有する、
１か月間、４０oＣおよび７５％相対湿度での前記固体剤形の貯蔵後に２重量％未満のリファマイシンＳを含有する、
１か月間、４０oＣおよび７５％相対湿度での前記固体剤形の貯蔵後に１重量％未満のリファマイシンＢを含有する、
１か月間、３０oＣおよび６５％相対湿度での前記固体剤形の貯蔵後に２重量％未満のリファマイシンＳを含有する、または
１か月間、３０oＣおよび６５％相対湿度での前記固体剤形の貯蔵後に１重量％未満のリファマイシンＢを含有する、
ことを特徴とする、請求項１から１５のいずれかに記載の経口医薬組成物。
【請求項１７】
前記固体剤形が、パッケージに収容され、前記パッケージが、熱および光から前記固体剤形を保護するための材料を含むことを特徴とする、請求項１から１６のいずれかに記載の経口医薬組成物。
【請求項１８】
前記固体剤形が、錠剤の形態であることを特徴とする、請求項１から１７のいずれかに記載の経口医薬組成物。
【請求項１９】
前記錠剤が、錠剤コアおよび前記錠剤コアを覆う胃耐性コーティングを含むことを特徴とする、請求項１８に記載の経口医薬組成物。
【請求項２０】
小腸細菌異常増殖（ＳＩＢＯ）、過敏性腸症候群（ＩＢＳ）、下痢型過敏性腸症候群（ＩＢＳ−Ｄ）、下痢型および便秘型が交互に起こる過敏性腸症候群（ＩＢＳ−Ｍ）、コレラ、肝性脳症、肝硬変、嚢炎、特発性細菌性腹膜炎、非アルコール性脂肪性肝疾患、非アルコール性脂肪肝、または非アルコール性脂肪性肝炎の予防および／または治療に使用するための、請求項１から１９のいずれかに記載の経口医薬組成物。
【請求項２１】
前記経口医薬組成物が、約６００ｍｇ、約１２００ｍｇまたは約１８００ｍｇの一日量で投与されることを特徴とする、請求項２０に記載の使用のための、請求項１から１９のいずれかに記載の経口医薬組成物。
【請求項２２】
前記組成物が、一日に１、２、または３回投与されることを特徴とする、請求項２０に記載の使用のための、請求項１から１９のいずれかに記載の経口医薬組成物。
【手続補正書】
【提出日】令和3年11月5日(2021.11.5)
【手続補正１】
【補正対象書類名】特許請求の範囲
【補正対象項目名】全文
【補正方法】変更
【補正の内容】
【特許請求の範囲】
【請求項１】
治療用ヌクレオチド配列および配列番号３９、４０、３５、１０〜１５、および２７〜３２のいずれか１つのヌクレオチド配列を含む阻害性オリゴヌクレオチドを含む、組み換えウイルスゲノム。
【請求項２】
治療用ヌクレオチド配列および配列番号３５（３ｘテロメア）、配列番号３９（３ｘｔｅｌｏ３ｘＩＮＨ１８）、および／または配列番号４０（３ｘ４０８４−Ｆ３ｘ２０８８）のヌクレオチド配列を含む阻害性オリゴヌクレオチドを含む、組み換えウイルスゲノム。
【請求項３】
アデノ随伴ウイルス（ＡＡＶ）、アデノウイルス、単純ヘルペスウイルス、水痘、天然痘ウイルス、Ｂ型肝炎、サイトメガロウイルス、ＪＣポリオーマウイルス、ＢＫポリオーマウイルス、サル痘ウイルス、帯状疱疹、エプスタイン・バーウイルス、ヒトヘルペスウイルス７、カポジ肉腫関連ヘルペスウイルス、またはヒトパルボウイルスＢ１９からのものである、請求項１または２に記載の組み換えウイルスゲノム。
【請求項４】
組み換えＡＡＶウイルスゲノムである、請求項３に記載の組み換えウイルスゲノム。
【請求項５】
一本鎖である、請求項１〜４のいずれか一項に記載の組み換えウイルスゲノム。
【請求項６】
自己相補的である、請求項１〜４のいずれか一項に記載の組み換えウイルスゲノム。
【請求項７】
核酸感知ＴＬＲ活性化および／またはシグナル伝達を阻害する少なくとも１の他の阻害性オリゴヌクレオチドをさらに含み、任意に阻害性オリゴヌクレオチドが、ウイルスゲノムの異なる場所にある、請求項１〜４のいずれか一項に記載の組み換えウイルスゲノム。
【請求項８】
阻害性オリゴヌクレオチドが、治療用ヌクレオチド配列に作動可能に連結されたプロモーターの（５’）上流に位置付けられ、および任意に阻害性オリゴヌクレオチドが、組み換えウイルスゲノムの５’非翻訳領域（ＵＴＲ）に位置付けられる、請求項１〜４のいずれか一項に記載の組み換えウイルスゲノム。
【請求項９】
阻害性オリゴヌクレオチドが、治療用核酸に連結されたポリＡテールの（３’）下流に位置付けられ、および任意に阻害性オリゴヌクレオチドが、組み換えウイルスゲノムの３’ＵＴＲに位置付けられる、請求項１〜４のいずれか一項に記載の組み換えウイルスゲノム。
【請求項１０】
阻害性オリゴヌクレオチドの１つが組み換えウイルスゲノムのセンス方向に配向され、および別の阻害性オリゴヌクレオチドが組み換えウイルスゲノムのアンチセンス方向に配向される、請求項９に記載の組み換えウイルスゲノム。
【請求項１１】
請求項１または２に記載の組み換えウイルスゲノムを含む、対象における組み換えウイルスゲノムに対する炎症反応を阻害するための医薬組成物。
【請求項１２】
組み換えウイルスゲノムが、対照の量よりも少なくとも２０％少ない量であり、任意に対照が、核酸感知ＴＬＲ活性化および／またはシグナル伝達を阻害する阻害性オリゴヌクレオチドを含まない組み換えウイルスゲノムである、請求項１１に記載の医薬組成物。
【手続補正書】
【提出日】令和3年8月11日(2021.8.11)
【手続補正１】
【補正対象書類名】明細書
【補正対象項目名】０００８
【補正方法】変更
【補正の内容】
【０００８】
投与特性が改善されたフルベストラント製剤が必要である。開示は、これらおよびその他の重要なニーズに向けられている。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  国際公開第２０１７／１９３０４８号
（特許文献２）  国際公開第２０１３／１８２６６８号
（特許文献３）  国際公開第０３／００６０６４号
（特許文献４）  国際公開第２０１２／０３５５１６号
（特許文献５）  国際公開第２０１３／１５３５５９号
（特許文献６）  米国特許第６，７７４，１２２号明細書
（特許文献７）  欧州特許出願公開第２４６０５３９号明細書  
（特許文献８）  国際公開第２０１５／０３３３０２号